(57)【特許請求の範囲】
【請求項１】
設営対象範囲となる略矩形状敷地の対峙する二辺上に、各辺上における配置が略対称であって、各辺上には、何れか１本が最も高く、それから離れたものほど漸次低くなるよう規制した複数本の支柱を立設した上、各辺間で対応する支柱間に、夫々弛緩、緊張操作可能となるようにしたワイヤロープを張設する一方、透明且つ防水性を有する複数枚のビニルシートの桁行き方向端部同士の所定範囲を、その上下重なり具合が桁行き方向何れかに統一するようにして重ね合わせ、これら重ね合わせ部分の幅寸法範囲に渡る適宜複数箇所を接着、一体化させて、これら接着部間にビニルシートの上下面側を連通状とする排気用通風口を開口させたものとした上、桁行き方向の所定寸法毎に幅方向に平行状および／または中央側で交叉するＸ型状に配置させ、各両端が同ビニルシート幅寸法方向の縁部外側まで延伸させた複数本の張設帯を一体化することにより、設営対象範囲全体を覆える大きさとしてなる被覆用シートが、略平行状に張設されることとなるそれら複数本のワイヤロープを桁行き方向支持材として各辺上の支柱間に伸展状に掛け渡されるようにすると共に、被覆用シートのワイヤロープに平行する両端縁は、夫々地上から適宜離反させた高さ位置において横設状とする縁取り杆を介して対峙する地盤方向に夫々緊張状とされてなるものとしたことを特徴とする果樹覆い施設。
【請求項２】
設営対象範囲となる略矩形状敷地の対峙する二辺上に、各辺上における配置が略対称であって、一辺上には、中央寄りの１本が最も高く、それから離れたものほど漸次低くなるよう規制し、また他辺上には、該中央寄りの最も高い一本に対応するものが、それよりもやや低く、それから離れたものほど漸次低くなるよう規制して一辺側が高く、他辺側が所定の割合で低くなるよう設定された複数本の支柱を立設した上、各辺間で対応する支柱間に、夫々弛緩、緊張操作可能となるようにしたワイヤロープを張設する一方、中央寄り支柱間のワイヤロープに対応する部分で２つの台形状体を一体化させて、最も高い支柱側が幅広く、これに対応するそれよりもやや低い支柱側で幅狭な平面形に形成され、設営対象範囲全体を覆える大きさに設定された透明且つ防水性を有するビニルシート本体に、桁行き方向所定間隔置きに幅方向中央から、幅寸法方向両縁部の外側まで延伸させた両端部が、幅狭端側に向けて僅かに傾斜させた複数本の張設帯を一体化してなる被覆用シートを、略平行状に張設されることとなるそれら複数本のワイヤロープを桁行き方向支持材として、最も高い支柱側に被覆用シートの幅広側が、これに対峙するやや低い支柱側に被覆用シートの幅狭側が、夫々対応するよう各辺上の支柱間に伸展状に掛け渡すようにすると共に、被覆用シートのワイヤロープに平行する両端縁は、夫々地上から適宜離反させた高さ位置において、対応する各張設帯端に繋着、横設状とした縁取り杆を介して対峙する地盤方向に夫々緊張状とされてなるものとし、張設された被覆用シートが、降雨の際に最も高い支柱側から外側へ向かうように排水可能としてなるものとしたことを特徴とする果樹覆い施設。
【請求項３】
設営対象範囲となる略矩形状敷地の対峙する二辺上に、各辺上における配置が略対称であって、各辺上には、中央寄りの１本が最も高く、その両端に各一本ずつ低い三本の支柱を夫々立設した上、各辺間で対応する支柱間に、夫々弛緩、緊張操作可能となるようにしたワイヤロープを張設する一方、設営対象範囲全体を覆える大きさの略矩形状で、透明且つ防水性を有するビニルシート本体に、桁行き方向所定間隔置きに複数の張設帯が、各両端を該ビニルシート本体縁部から外側に延伸され、平行状配置となるよう一体化してなる被覆用シートを、略平行状に張設されることとなるそれら複数本のワイヤロープを桁行き方向支持材として各辺上の支柱間に伸展状に掛け渡すようにすると共に、左右側の低い支柱間のワイヤロープには、桁行き方向に隣接する一方の張設帯の端部を上から巻掛けて横設状の縁取り杆に繋着し、これらに隣接する他方の端部を直接的に地上に垂下させるように別の横設状の縁取り杆に繋着して対峙する地盤方向に夫々緊張状とするようにし、中央のワイヤロープから両側の低いワイヤロープ側に掛け渡されたビニルシート本体上面に複数の雨樋溝を形成、配列してなるものとしたことを特徴とする果樹覆い施設。
【請求項４】
設営対象範囲となる略矩形状敷地の対峙する二辺上に、各辺上における配置が略対称であって、各辺上には、中央寄りの１本が最も高く、その両端に各一本ずつ低い三本の支柱を夫々立設した上、各辺間で対応する支柱間に、夫々弛緩、緊張操作可能となるようにしたワイヤロープを張設する一方、設営対象範囲全体を覆える大きさの略矩形状で、透明且つ防水性を有するビニルシート本体に、桁行き方向所定間隔置きに複数の張設帯が、各両端を該ビニルシート本体縁部から外側に延伸され、平行状および／または中央側で交叉するＸ型状に配置するよう一体化してなる被覆用シートを、略平行状に張設されることとなるそれら複数本のワイヤロープを桁行き方向支持材として各辺上の支柱間に伸展状に掛け渡すようにすると共に、左右側の低い支柱間のワイヤロープには、桁行方向に隣接する一方の張設帯の端部を上から巻掛けて横設状の縁取り杆に繋着し、これらに隣接する他方の端部を直接的に地上に垂下させるように別の横設状の縁取り杆に繋着して対峙する地盤方向に夫々緊張状とするようにし、中央のワイヤロープから両側の低いワイヤロープ側に掛け渡されたビニルシート本体上面に複数の雨樋溝を形成、配列してなるものとしたことを特徴とする果樹覆い施設。
【請求項５】
透明且つ防水性を有する複数枚のビニルシートの端部同士の所定範囲を、一定の桁行き方向に上下統一させて重ね合わせ、これら重ね合わせ部分の幅寸法範囲に渡る適宜複数箇所を接着、一体化させて、これら接着部間にビニルシートの上下面側を連通状とする排気用通風口を開口させたものとした上、桁行き方向の所定寸法毎に幅方向に平行状および／または中央側で交叉するＸ型状に配置され、各両端が同ビニルシート幅寸法方向の縁部外側まで延伸された複数本の張設帯を一体化してなり、桁行き方向に無限に連続可能とするよう製造した、ビニルシート本体を有するものとしたことにより、設営の際には対象範囲となる敷地を被覆可能な桁行き方向寸法に適宜切断して使用できるものに構成した、請求項１ないし４何れか記載の果樹覆い施設に使用する被覆用シート。
【発明の詳細な説明】
【０００１】
【発明の目的】
この発明は、果樹、野菜、花卉類等の育成に好都合の被覆施設に関するものであって、特に、果樹を栽培する圃場において、雨避けのための被覆およびその撤収、ならびに開閉状態の調節等の作業を迅速且つ簡便に行うことを可能にする新規な構造からなる果樹覆い施設、およびそれに使用する新規な構造の被覆用シートを提供しようとするものである。
【０００２】
【従来の技術】
我が国における桜桃生産者の多くは、外国産桜桃の輸入が自由化された当初、その売上げに多大な打撃を受けるものと予想していたが、永年に渡って官民が一丸となり、様々な品種改良を重ねて開発した佐藤錦や南陽、高砂、紅さやか等に代表される多彩な品種を、生産農家の弛まぬ努力によって最適の環境下に管理しながら栽培して収穫した国産桜桃は、自由市場となった国内市場において、改めてその優秀さが再認識される結果となり、以前にも増して市場が活性化されてその需要は拡大し、生産量が年々増加する傾向となっている。
【０００３】
このように桜桃は生産量が増加し、外国産桜桃の輸入による競争原理が働いているにも拘らず、価格は比較的高値のままに安定し、低廉に提供できるものとはなっていないのが現状であり、その理由としては、輸入桜桃の主な品種であるアメリカンチェリーの収穫期が７〜８月と、国内産よりも遅れて出荷されることに一因がある外、国産桜桃の収穫期が５〜６月の梅雨期に重なっていて、商品価値の有る桜桃を収穫する上で、降雨による裂果を防止するための雨避け施設の設置が不可欠であり、それら設備費に多大の投資を必要としていることも価格を高騰させる大きな要因となっている。
【０００４】
桜桃は、頂部優勢性が強くて成長に伴って高木となるため、雨避け施設も自ずと高く設営せざるを得ないが、一般的な雨避け施設は、所謂地上部で促成栽培する野菜や果物、花卉類等用の門型温室ハウス（通称ビニルハウス）を、果樹をスッポリ覆い尽くすことができるよう、略そっくりそのまま果樹を覆える高さまで高くしたもので、一般には鋼管を骨格体とし、専用の結合金具でパイプ断面に加工を施すことなく組み立てていく構造からなっており、こうした骨格体自体の設営や骨格体へのビニルシートの被覆作業は、自ずと果樹上方の高所での作業となり、必然的に危険が伴う作業となってしまうため、未だに家内産業的な経営の続く栽培農家が多く、最近のように後継者不足であったり、季節労働者が足りない等の事情から、老齢者に頼らざるを得ない栽培農家では、単価に直接響くことを承知の上でも、このビニールハウスの設営、被覆作業を専門業者に依頼せざるを得ないことになる。
【０００５】
こうした事情に対処すべく、ビニルシートの移動を安全且つ簡便に行うことのできるようにした被覆施設として、例えば実開平５−５２号公報に開示された屋外園芸用カーテン装置が開発されているが、果樹よりも遥かに高い支柱の立設が不可欠である上、カーテンを牽引する走行パイプを吊下するために上下のケーブルと、これを連結する吊り材等とを要するものであって、構造が複雑で比較的高価な施設となってしまう上、カーテンに通水性をもたせていることから、果たして桜桃の栽培に際して、裂果を確実に防止できるか否か等という点に不安を残すものとなっていた。
【０００６】
また、同様に特開平５−１０６３６９号公報に示された全天候シートの事例によるものでは、複数適所を係止手段によって地上に係止されたガス封入型防水シートに、空気よりも軽比重のガスを封入して空中に浮上させるようにしたものでは、確実な骨格構造をもたず、強風等に煽られた場合には、簡単に揺動して果樹に干渉して損傷を与えたり、果実を落下させてしまう等の虞れもあり、それら従前から提案のある技術については、何れも桜桃栽培への応用が困難になると予想されるものばかりであって、現状の園芸農家の作業負担を軽減し、経済的に有利に設営可能な桜桃用の被覆施設は、これまで提供されていなかった。
【０００７】
この発明は、以上のように、桜桃を始めとする果樹栽培農家において、裂果その他による商品価値の低下を防止する手立てとして欠くことができない門型温室ハウスの設営、管理に係わる経費を削減するために有効と思える技術が未だに確立されていないという事情に疑問を抱き、それら不都合をできるだけ解消し得る被覆施設の実現化ができないものかとの判断から、逸速くその開発、研究に着手し、長期に渡る試行錯誤と幾多の試作、実験とを繰り返してきた結果、今回、遂に新規な構造の果樹覆い施設、およびそれに使用する新規な構造からなる被覆用シートを実現化することに成功したものであり、以下では、図面に示すこの発明を代表する実施例と共に、その構成を詳述することとする。
【０００８】
【発明の構成】
図面に示す代表的な実施例からも明確に理解されるように、この発明の果樹覆い施設は、基本的に次のような構成から成り立っている。
即ち、設営対象範囲となる略矩形状敷地の対峙する二辺上に、各辺上における配置が略対称であって、各辺上には、何れか１本が最も高く、それから離れたものほど漸次低くなるよう規制した複数本の支柱を立設した上、各辺間で対応する支柱間に、夫々弛緩、緊張操作可能となるようにしたワイヤロープを張設する一方、透明且つ防水性を有する複数枚のビニルシートの桁行き方向端部同士の所定範囲を、その上下重なり具合が桁行き方向何れかに統一するようにして重ね合わせ、これら重ね合わせ部分の幅寸法範囲に渡る適宜複数箇所を接着、一体化させて、これら接着部間にビニルシートの上下面側を連通状とする排気用通風口を開口させたものとした上、桁行き方向の所定寸法毎に幅方向に平行状および／または中央側で交叉するＸ型状に配置させ、各両端が同ビニルシート幅寸法方向の縁部外側まで延伸させた複数本の張設帯を一体化することにより、設営対象範囲全体を覆える大きさとしてなる被覆用シートが、略平行状に張設されることとなるそれら複数本のワイヤロープを桁行き方向支持材として各辺上の支柱間に伸展状に掛け渡されるようにすると共に、被覆用シートのワイヤロープに平行する両端縁は、夫々地上から適宜離反させた高さ位置において横設状とする縁取り杆を介して対峙する地盤方向に夫々緊張状とされてなるものとした構成を要旨とする果樹覆い施設ある。
【０００９】
この基本的な構成からなる果樹覆い施設を、より具体的な構成のものとして示すと、設営対象範囲となる略矩形状敷地の対峙する二辺上に、各辺上における配置が略対称であって、一辺上には、中央寄りの１本が最も高く、それから離れたものほど漸次低くなるよう規制し、また他辺上には、該中央寄りの最も高い一本に対応するものが、それよりもやや低く、それから離れたものほど漸次低くなるよう規制して一辺側が高く、他辺側が所定の割合で低くなるよう設定された複数本の支柱を立設した上、各辺間で対応する支柱間に、夫々弛緩、緊張操作可能となるようにしたワイヤロープを張設する一方、中央寄り支柱間のワイヤロープに対応する部分で２つの台形状体を一体化させて、最も高い支柱側が幅広く、これに対応するそれよりもやや低い支柱側で幅狭な平面形に形成され、設営対象範囲全体を覆える大きさに設定された透明且つ防水性を有するビニルシート本体に、桁行き方向所定間隔置きに幅方向中央から、幅寸法方向両縁部の外側まで延伸させた両端部が、幅狭端側に向けて僅かに傾斜させた複数本の張設帯を一体化してなる被覆用シートを、略平行状に張設されることとなるそれら複数本のワイヤロープを桁行き方向支持材として、最も高い支柱側に被覆用シートの幅広側が、これに対峙するやや低い支柱側に被覆用シートの幅狭側が、夫々対応するよう各辺上の支柱間に伸展状に掛け渡すようにすると共に、被覆用シートのワイヤロープに平行する両端縁は、夫々地上から適宜離反させた高さ位置において、対応する各張設帯端に繋着、横設状とした縁取り杆を介して対峙する地盤方向に夫々緊張状とされてなるものとし、張設された被覆用シートが、降雨の際に最も高い支柱側から外側へ向かうように排水可能としてなるものとした果樹覆い施設ということができる。
【００１０】
さらに、この発明の果樹覆い施設を、表現を変えて示せば、設営対象範囲となる略矩形状敷地の対峙する二辺上に、各辺上における配置が略対称であって、各辺上には、中央寄りの１本が最も高く、その両端に各一本ずつ低い三本の支柱を夫々立設した上、各辺間で対応する支柱間に、夫々弛緩、緊張操作可能となるようにしたワイヤロープを張設する一方、設営対象範囲全体を覆える大きさの略矩形状で、透明且つ防水性を有するビニルシート本体に、桁行き方向所定間隔置きに複数の張設帯が、各両端を該ビニルシート本体縁部から外側に延伸され、平行状配置となるよう一体化してなる被覆用シートを、略平行状に張設されることとなるそれら複数本のワイヤロープを桁行き方向支持材として各辺上の支柱間に伸展状に掛け渡すようにすると共に、左右側の低い支柱間のワイヤロープには、桁行き方向に隣接する一方の張設帯の端部を上から巻掛けて横設状の縁取り杆に繋着し、これらに隣接する他方の端部を直接的に地上に垂下させるように別の横設状の縁取り杆に繋着して対峙する地盤方向に夫々緊張状とするようにし、中央のワイヤロープから両側の低いワイヤロープ側に掛け渡されたビニルシート本体上面に複数の雨樋溝を形成、配列してなるものとした果樹覆い施設とすることが可能である。
【００１１】
そして、更に具体的には、設営対象範囲となる略矩形状敷地の対峙する二辺上に、各辺上における配置が略対称であって、各辺上には、中央寄りの１本が最も高く、その両端に各一本ずつ低い三本の支柱を夫々立設した上、各辺間で対応する支柱間に、夫々弛緩、緊張操作可能となるようにしたワイヤロープを張設する一方、設営対象範囲全体を覆える大きさの略矩形状で、透明且つ防水性を有するビニルシート本体に、桁行き方向所定間隔置きに複数の張設帯が、各両端を該ビニルシート本体縁部から外側に延伸され、平行状および／または中央側で交叉するＸ型状に配置するよう一体化してなる被覆用シートを、略平行状に張設されることとなるそれら複数本のワイヤロープを桁行き方向支持材として各辺上の支柱間に伸展状に掛け渡すようにすると共に、左右側の低い支柱間のワイヤロープには、桁行方向に隣接する一方の張設帯の端部を上から巻掛けて横設状の縁取り杆に繋着し、これらに隣接する他方の端部を直接的に地上に垂下させるように別の横設状の縁取り杆に繋着して対峙する地盤方向に夫々緊張状とするようにし、中央のワイヤロープから両側の低いワイヤロープ側に掛け渡されたビニルシート本体上面に複数の雨樋溝を形成、配列してなるものとした果樹覆い施設となる。
【００１２】
支柱は、被覆用シートを張設支持するワイヤロープを、設営対象範囲となる略矩形状敷地の対峙する二辺の所望する高さ位置間に掛け渡し状に支持する機能を果たすものであり、ワイヤロープに加わる荷重を支持するに充分な強度をもって立設すると共に、その上端にワイヤロープを円滑に送り移動可能とする挿通環や滑車、案内溝等からなる張設部分を設けたものとしなければならず、必要に応じて斜め材を用いて地盤面との間で三角形状を形成する支持構造で補強したり、断面形状を強化してワイヤロープから伝わる荷重に充分に耐える構造とすべきであり、二辺間で対峙する中央寄りの支柱を最も高く設定して、その外側のものほど低くなるよう規制して立設するのが望ましいが、二辺上の一方側の外側で対峙する支柱を最も高く設置して、これとは反対側に離れるものほど低くなるよう立設した組み合せとすることも可能である。
【００１３】
ワイヤロープは、敷地を挟んで対峙する支柱間に弛緩、緊張操作可能に掛け渡されて、緊張状態にあっては被覆用シートを空中に伸展状に支持した上、撤去や張り替え、あるいは被覆用シートの管理上の必要等で被覆用シートに係わる作業をする際には、当該被覆用シートを地上側に弛ませるようにする機能を果たすものであり、被覆用シート自体の重量のみならず、風雨等によって加わる荷重にも所望の限度まで充分に耐える強度のものを使用しなければならず、一般的な鋼線製のものを使用することが可能であるが、自然環境にも高い耐久強度が得られる上、錆びによる破損の少ないステンレス鋼線からなるものとするのが望ましく、適宜牽引装置を設けて、巻き取りおよび送り出し操作を可能とする牽引機構を併設したものとすることが可能である。
【００１４】
縁取り杆は、その自重によって複数本のワイヤロープに伸展状とした被覆用シートの桁行き方向に平行な縁部を、地盤方向に夫々バランスさせて緊張状とし得るよう牽引する機能を果たすものであり、各張設帯端部に繋着可能な形状としなければならず、ビニルシート本体に皺や弛みを生じない程度に牽引可能な重量に設定したものとすべきであって、複数の張設帯端部を繋着可能な棒状や枠状のものに形成するのが望ましく、地上に打ち込み固定された杭に、一端側を繋着した連結紐の他端側を適所に繋着させて、複数本の張設帯端部を纏めて地盤面側と連結可能な状態に取着したものとすることもできる。
【００１５】
【関連する発明】
上記した果樹覆い施設に関連し、この発明には、以下のとおりの構成からなる果樹覆い施設に使用する被覆用シートを包含しており、その構成は、基本的に次のとおりのものである。
即ち、透明且つ防水性を有する複数枚のビニルシートの端部同士の所定範囲を、一定の桁行き方向に上下統一させて重ね合わせ、これら重ね合わせ部分の幅寸法範囲に渡る適宜複数箇所を接着、一体化させて、これら接着部間にビニルシートの上下面側を連通状とする排気用通風口を開口させたものとした上、桁行き方向の所定寸法毎に幅方向に平行状および／または中央側で交叉するＸ型状に配置され、各両端が同ビニルシート幅寸法方向の縁部外側まで延伸された複数本の張設帯を一体化してなり、桁行き方向に無限に連続可能とするよう製造した、ビニルシート本体を有するものとしたことにより、設営の際には対象範囲となる敷地を被覆可能な桁行き方向寸法に適宜切断して使用できるようにした被覆用シートである。
【００１６】
ビニルシート本体は、設営対象範囲となる矩形状敷地の略全体を覆って、敷地内の果樹や野菜等の農作物や園芸植物類を、風雨や雹、霜等から保護可能とする覆いとしての機能を果たすものであり、透明且つ防水性のある農業用のビニルシートを使用すべきであるが、着色やコーティングによって遮光性や、鳥の忌避能力を有するビニルシートを使用すること等が可能であり、また、必要箇所に補強布や補強金具を添設して強度を高めたり、あるいは、下方から吹き上げる風を受けて自動的に開閉可能な通気弁を複数点在状に設けて、防水性を確保しながら風圧を上面側に逃がすことができるようにしたビニルシートを使用したり、さらに、不織布やネット類を重ね合わせ状に張設したり、ビニルシート本体を農業用不織布やネット類に置き換えたりすることも可能である。
【００１７】
張設帯は、複数の平行なワイヤロープ上の桁行き方向に伸展されたビニルシート本体を、桁行き方向に交叉する方向に牽引状として、シートをバタ付きなく張設（従前からのマイカ線によるように張設）可能とする機能を果たすものであり、ビニルシート本体の桁行き方向に交叉する方向の幅方向縁部まで、あるいは、さらに外側まで延伸された状態に一体化されたものとしなければならず、ビニルシート本体を伸展、張設状とするのに必要な張力に充分に耐える強度をもつ素材からなるのものを選択すべきであって、紐状のものも使用可能であるが、ビニルシートを押さえ込む面積を大きく確保できる帯状のものとするのが望ましく、ビニルシート本体の一側面に接着して一体化したものや、ビニルシート本体の成型と同時に一体成型してしまう埋込み構造のものとすることができ、さらに、両端側には、縁取り杆への連結を容易にする連結用金具を設けたものとすることも可能である。
以下では、図面に示すこの発明を代表する実施例と共に、その構造について詳述することとする。
【００１８】
【実施例１】
図１の被覆用シートの平面図、図２の支柱間に張設したワイヤロープの斜視図、図３のワイヤロープ上に被覆用シートを伸展させた果樹覆い施設の斜視図、および図４の設置された果樹覆い施設の斜視図に示される事例は、複数枚のビニルシートの端部同士を、上下の重なりを桁行き方向の一方へ統一するように重ね合わせ、その重合せ部分の複数適所に排気用通風口を開口するよう接着して、桁行き方向に無限に連続可能とするよう製造した被覆用シート４を、設営対象範囲の敷地に合う寸法に切断して設置した基本的構成からなるこの発明に包含される果樹覆い施設１における代表的な一実施例を示すものである。
【００１９】
当該果樹覆い施設１は、設営対象範囲となる果樹園の、一辺が約７〜１０ｍ程度の略矩形状敷地の対峙する二辺の夫々に、図２に示すように、中央の一本が最も高く、それから離れたものほど漸次低くなるよう、敷地内の果樹の高さに応じて剪定や収穫等の作業に支障を来さない程度の余裕をもった高さ寸法に規制した５本の支柱２，２，……を、合計１０本とするよう対象的に配置、立設して、各支柱２，２，……の夫々に支持強度を高めるよう斜め材を添えて補強し、夫々の上端には、滑車を内蔵した枠型に形成されてワイヤロープ３の装着を可能とする滑車金具２１を設けたものとし、敷地を挟んで対応する支柱２，２，……間に、夫々ワイヤロープ３，３，……を張設し、弛まないよう地盤側に引き寄せた端部を地面に打ち込まれた杭に繋着、固定した上、中央の最も高い支柱２，２間に掛け渡したワイヤロープ３の一端を弛緩、緊張操作自在なウインチ３１に捲回したものとしている。
【００２０】
被覆用シート４は、図１に示すとおり、横幅Ｗが約１０ｍ、桁行き方向長さＬが約４９０ｃｍの農業用ビニールシートの、桁行き方向の所定寸法Ｄ７０ｃｍ毎に、横幅方向に平行な長さ約１２ｍの合成樹脂製の張設帯４２，４２，……を、その両端側が夫々１ｍ程度横幅方向に突出するように接着して一体化させ、さらに同様に製造された複数枚のビニールシートを、桁行き方向末端の７０ｃｍ幅部分を、同桁行き方向の一端が上、他端を下に配置するよう重ね合わせ状とした上、横幅方向の両端縁部、およびその間の下側配置となった縁部上面の適宜間隔を隔てた複数箇所を、上側の中途部下面に接着、一体化してこれら接着部４４，４４，……間に残された各非接着部分が、上下面を連通して複数の排気用通風口４５，４５，……を形成したものとなるようにし、桁方向に連続して結合させ、ロール状に巻き取った長尺なものとするよう製造されたものである。
【００２１】
被覆用シート４を平行に張設されたワイヤロープ３，３，……上に張設する際には、ウインチ３１を操作して最も高い支柱２，２間に掛け渡したワイヤロープ３を作業し易い高さまで弛緩させ、一方側の最も低い支柱２，２間に渡されたワイヤロープ３から順次、被覆用シート４の幅方向縁部を引き被せるように移動させ、他方の最も低い支柱２，２間のワイヤロープに掛け渡した後に、再度ウインチ３１を操作して最も高い支柱２，２間のワイヤロープ３を緊張状に引き上げて、図３に示したように、被覆用シート４の幅方向中央が最も高い支柱２，２に対応され、その間に掛け渡されたワイヤロープ３の桁行き方向に伸展された状態とする。そして、図４に示してあるように、敷地幅方向の最も低いワイヤロープ３，３から夫々垂れ下がった被覆用シート張設帯４２，４２，……の夫々に、適宜寸法に切断された金属パイプからなる縁取り杆５，５，……を横設状に吊下するよう繋着して、被覆用シート４の全体に皺や弛みを生じないよう張設したものとする。
【００２２】
排気用通風口４５，４５，……は、図５の通風状態の斜視図に示すように、鎖線矢印で示した季節風等の風向きに対して、ビニールシートの風下側の端部が上側に、ビニールシートの風上の端部を下側の配置となるよう伸展、張設するのが好ましく、必要に応じて図６の予備支柱の斜視図に示すような、水平状の樋型支持部２３を上端に設けた予備支柱２２を、適宜ワイヤロープ３の中途部を下側から支持するよう立設することも可能である。
【００２３】
【実施例２】
図７の被覆用シートの平面図、および図８の果樹覆い施設の斜視図に示される事例は、設営対象範囲となる略矩形状敷地の対峙する二辺の中の一辺上に、中央の１本が最も高く、それから離れるものほど漸次低くなるよう規制した５本の支柱２，２，……を略等間隔に立設し、これに対応する他辺上には、前記一辺上に立設された５本の支柱２，２，……に対称的な配置とされ、中央に対応する支柱２を、最も高い支柱２よりもやや低く設定し、それから離れるものほど漸次低く規制した５本の支柱２，２，……を立設したものとし、各辺間で対応する支柱２，２，……間の夫々にワイヤロープ３，３，……を弛緩、緊張可能とするよう張設した上、複数本の平行なワイヤロープ３，３，……上の桁行き方向に向け、後述するよう形成された被覆用シート４を伸展させ、最も背の高い支柱２側から、それに対峙するやや低い支柱２までの桁行き方向に、下り傾斜状の稜線を形成するよう装着してなる果樹覆い施設１である。
【００２４】
被覆用シート４は、矩形状敷地の略全体を覆うことができる寸法であって、中央の支柱２，２間に対応する中央線部分で２つの台形状体を継ぎ合わせて一体化させた平面形状であって、最も高い支柱２側に対応する縁部の幅寸法Ｗを幅広く、これに対峙して、それよりもやや低い支柱２に対応する縁部の幅寸法Ｎを幅狭く設定したものとなっており、幅寸法方向に添って一体化した張設帯４２，４２，……が、幅寸法方向の中央から外側に向けて所定角度ｄ分、幅狭側に向けて傾斜されている。
【００２５】
【実施例３】
図９の被覆用シートの平面図、および図１０の果樹覆い施設の斜視図に示された事例は、設営対象範囲となる略矩形状敷地の対峙する二辺上の夫々に、中央の１本が最も高く、その両端に低く規制された３本の支柱２，２，２を対称的に配置、立設して敷地を挟んで対峙する支柱２，２，……間に平行に掛け渡された３本のワイヤロープ３，３，３上に対して、最も高い１本のワイヤロープ３から、両側にある低い２本のワイヤロープ３，３に至る間に、複数の雨樋溝４６，４６，……を形成するようにして被覆用シート４を装着した果樹覆い施設１である。
【００２６】
被覆用シート４は、そのビニルシート本体４１桁行き方向の所定間隔毎に、複数本の張設帯４２，４２，……を幅寸法方向に沿って平行状に一体化させ、ビニルシート本体４１の幅寸法方向縁部から突出するように延伸すると共に、これら幅寸法方向に平行な張設帯４２，４２，……の夫々に、幅寸法の中央部分でＸ型状に交叉し、両端部側の夫々が、平行に隣接する張設帯４２，４２，……の中間位置まで延伸された状態に一体化し、ビニルシート本体４１の幅寸法方向縁部で、対称形状となるよう延伸されてきたものと交叉させ、１本に束ねて突出状に延伸した襷状張設帯４３，４３，……を設けたものとし、該ビニルシート本体４１は、適宜所定間隔毎に選択された襷状張設帯４３の結合部付近を、重ね合わせたて接着した複数枚のビニルシートからなり、その重ね合わせの上下は、桁行き方向に統一されたものとするか、あるいは上側のシート縁が張設の際に形成される雨樋溝４６の下向きとなるよう重ね合わせ、幅寸法方向に点在状となる複数箇所を接着剤や、溶着によって結合し、これら複数の接着部４４，４４，……間の夫々にビニルシート本体４１の上下面を連通可能とする、排気用通風口４５，４５，……を開口したものとなっている。
【００２７】
果樹覆い施設１は、前記被覆用シート４が、設営対象範囲となる略矩形状敷地を挟んで対峙する、６本の支柱２，２，……間に掛け渡した平行な３本のワイヤロープ３，３，３上に桁行き方向に伸展状とするよう装着され、幅寸法中央の張設帯４２，４２，……と襷状張設帯４３，４３，……との交叉部を、中央の高いワイヤロープ３上に配置させて幅寸法方向の両端縁部を左右の低いワイヤロープ３，３側に掛け渡すようにし、各襷状張設帯４３，４３，……の端部側を、対応する低いワイヤロープ３，３の上側から巻き掛けて、横設状の縁取り杆５，５，……に繋着し、吊下状の張力を加えるものとする一方、各張設帯４２，４２，……は、その端部側を低いワイヤロープ３，３に巻き掛けることなく、直接的に地盤面に向かわせるよう横設状の縁取り杆５，５，……に繋着し、張設帯４２とこれを挟んで配置する襷状張設帯４３，４３との間に、幅寸法方向の裾側に向かうほど流路断面積が拡大する略三角形断面状の雨樋溝４６，４６，……が、桁行き方向に沿って複数配列、形成された状態に張設されたものとなる。
【００２８】
被覆用シート４は、襷状張設帯４３，４３，……を設けず、全ての張設帯４２，４２，……を、図１に示すように、平行状に配置したものであっても、上述と同様に、隣接する張設帯４２，４２の何れか一方の端部を低いワイヤロープに巻き掛け、何れか他方の端部を低いワイヤロープに巻き掛けずに、直接的に地盤面に向かうよう吊下して設営すれば、流路断面積が下流側に向かって拡大する断面形状は得られないものの、幅寸法の中央から裾側に向かって下る雨樋溝４６，４６，……を形成することが可能である。
【００２９】
【作用】
以上のとおりの構成からなるこの発明の果樹覆い施設１は、図１に示した被覆用シート４を、図２の支柱２，２，……間に掛け渡したワイヤロープ３，３，……の上側から被着した状態に装着したことにより、張設および撤収を簡易的な作業で行うことが可能であり、設置された状態では、ビニルシート本体４１に複数添設された張設帯４２，４２，……両端部の夫々が、横設状の縁取り杆５，５，……に繋着されているので、縁取り杆５，５，……の重量によってビニルシート本体４１に皺や弛みが生じないように張設されたものとなり、降雨の際にも最も高いワイヤロープ３から漸次低くなるワイヤロープ３，３，……側へ雨水を排水して、果樹覆い施設１下に在る果樹に雨滴が降り注がれてしまうのを阻止するものとなる。
【００３０】
また、ビニルシート本体４１の桁行き方向の、ビニルシートの接合部分に点在状に設けられた排気用通風口４５，４５，……は、図５中に鎖線矢印で示されように、被覆用シート４の下側から吹き込み、ビニルシート本体４１を上方に持ち上げるような力を発生する風圧を、被覆用シート４の上側に逃がして被覆用シート４下側の空気圧力の上昇を抑止し、ビニルシート本体４１やこれを牽引状に支持する張設帯４２，４２，……に過大な力が加わるのを阻止することができるものとなる。
【００３１】
降雨の際には排気用通風口４５部分のビニルシートの重なり部分によって封鎖状態を保持して、雨漏りするのを阻止するものとなる。さらに、降雨量の多い場合や積雪の虞れがある場合には、ワイヤロープ３，３，……の下側適所に図６中に示すような予備支柱２２を立設して、上端に設けられた水平状の樋型支持部２３でワイヤロープ３の下側を支持し、被覆用シート４からワイヤロープに加わる荷重を分散させて支持することが可能である。そして、被覆用シート４を、桁行き方向に数百ｍの長尺とするよう連続的に製造して、ロール状に巻き取ったものとしたり、あるいは適宜展開容易に折り畳まれたものに製造すれば、設営対象の敷地の広さに応じて、最適な寸法に裁断して使用することが可能となる。
【００３２】
図７に示した構造の被覆用シート４を、図８中に示すように、桁行き方向の一方に向けて下り勾配をもって掛け渡された複数本のワイヤロープ３，３，……に張設すれば、降雨の際には、被覆用シート４上に降り注いだ雨水が、最も高い支柱２に支持された該被覆用シート４の幅寸法方向の中央から、末端側へ向けて流れ下ると共に、被覆用シート４の桁行き方向にも流下することとなり、図８中の実線矢印で示すように斜め下方向に雨水が導かれて速やかに排水されるものとなる。また、最も高い支柱２の設置位置を、季節風や地形に起因する強風等、風下側に一致するよう設営すれば、吹き付ける風が張設された被覆用シート４を上側から押え付ける力を発生して、揚力の発生を抑えることとなる。
【００３３】
また、図１０に示したように中央が高く、その左右側端に低い支柱３，３，３を３本ずつ、設営対象の敷地を挟んで対峙するように立設し、対応する支柱３，３，……間に夫々ワイヤロープ３，３，３を掛け渡し、その上から被覆用シート４を図９に示したように、複数の雨樋溝４６，４６，……を形成する状態に張設すれば、降雨の際にはその雨水が、図１０中に実線矢印で示したように、速やかに雨樋溝４６，４６，……に沿って設営敷地の外側へ導かれて排出されることとなる。また、被覆用シート４を撤去する場合には、中央の高いワイヤロープをウインチ３１を操作することによって弛緩させると共に、縁取り杆５，５，……から張設体４２，４２，……および襷状張設帯４３，４３，……を解き放して撤収するか、あるいは、縁取り杆５，５，……諸共、襷状張設帯４３，４３，……を左右側の低いワイヤロープ３，３から取り外して撤収することが可能である。
【００３４】
【効果】
以上のとおり、この発明の果樹覆い施設によれば、設営対象の敷地を挟んで対峙する複数本の支柱間に、平行状に掛け渡されたワイヤロープに対して、被覆用シートを桁行き方向に伸展させて張設したという比較的簡素な基本構成としたことにより、従前までの鋼管を組み合わせた門型温室ハウスを設営する際のような多大な資金の投入を不要として、設営経費を大幅に削減することができる上、伸展状に被覆された被覆用シートは、ワイヤロープを適宜弛緩させることによって脚立等を使用せずとも小人数によって撤去作業を行ったり、再度被覆状に伸展、装着することが安全且つ迅速にできるものとなり、高所での危険な作業を廃止して作業効率を大幅に高め、園芸農家の労働負担を格段に軽減することができることから、経費を削減して果物や野菜等の生産物の出荷価格を低価格に抑えることができるという秀れた特徴が得られるものである。
【００３５】
また、この発明が包含する被覆用シートによれば、そのビニルシート本体が伸展状に被覆される平行状、複数本のワイヤロープの桁行き方向所定間隔置きに、それらワイヤロープに交叉する複数本の張設帯を一体化してなる構成を基本とすることから、風雨によるバタ付きを抑制すると共に、降雨にも耐える充分な強度を得ることができるものとなり、従前までの門型温室ハウスのように鋼管を組み合わせた骨格体を、果樹の上側となる高所で組み立てたり、補修したりするような危険な作業が一切不要となり、張設帯端部に繋着した縁取り杆が、ビニルシート本体の縁部を牽引状に引き下げるので、シート面の皺や弛みの発生を防止し、強風を受けて捲れたり、剥がれたりして飛ばされたりするのを防止できるようになる上、撤去の際には張設帯端部に繋着した縁取り杆を取り外して、簡単且つ迅速に巻き取り状に取り外すことができるため、比較的冷涼で乾燥した環境を好む桜桃果樹の栽培のように、晴天のときには開放し、収穫期の降雨の際には速やかに被覆、張設する作業を頻繁に行わなければならない場合であっても労働負担が少なく、作業時間を短縮することができるという秀れた効果を発揮できる。
【００３６】
特に、実施例に説明した果樹覆い施設１、およびそれに使用する被覆用シート４は、上記した特徴に加え、被覆用シート４の桁行き方向中途部のビニルシート端部同士の接着部４４，４４，……の間に、図５中に示した排気用通風口４５，４５，……を形成したことにより、降雨の際には排気用通風口４５，４５，……が雨滴の流れによって封鎖されて、ビニルシート本体４１下側に雨水が回り込んで栽培されている果樹や野菜等に落下してしまうことを防止できると共に、ビニルシート本体４１下側に強風が吹き込んで被覆用シート４を浮上させるような力が発生したときには、排気用通風口４５，４５，……が、風圧を受けて押し広げられることによって開放され、ビニルシート本体４１の上側に風を放出させ、揚力の発生を抑えて被覆用シート４の剥がれや破損を防止することができるという利点が得られる。
【００３７】
また、図８に示したように、敷地を挟んで対峙する複数の支柱間に、複数本のワイヤロープ３，３，……を桁行き方向に傾斜状に掛け渡し、図７のように、適宜形状に形成された被覆用シート４を装着したことにより、図８中に実線矢印で示したように、降雨の際の雨滴や雹等が、最も高い支柱から桁行き方向、および桁行き方向に略直交するビニルシート本体４１の幅寸法方向の両縁側へ向けて速やかに流下、排出されるものとなり、しかも最も高い支柱側を季節風の風下側とし、これに対峙するやや低い支柱側を風上側とするよう設営すれば、風に対する強度を一段と高めることができるという効果が得られるものとなる。
【００３８】
さらにまた、図９および図１０に示したように、ワイヤロープ３，３，３の数を、中央の最も高い支柱間に掛け渡したものと、その両側に掛け渡した低いものとの合計３本に限定して、装着した被覆用シート４の襷状張設帯４３，４３，……の端部を、外側の低いワイヤロープ３，３の上側に巻き掛け、各襷状張設帯４３，４３，……の間に設けられた張設帯４２，４２，……の端部を直接的に地上面へ向けて牽引するように張設してあることから、隣接する襷状張設帯４３，４３，……の間に、引き下げられた張設帯４２が、最も高いワイヤロープ３によって支持された被覆用シート４の幅寸法方向中央から、同幅寸法方向外側に向けて次第にその断面積を拡大する略三角形断面の雨樋溝４６を形成するものとなり、降雨の際の大量の雨水や雹を、図１０中に実線矢印で示したように、案内、流下あるいは滑落させて速やかに排出し、集中的な降雨や雹によって被覆用シート４に過大な荷重が加わることがないように配慮した構造のものにすることができるという効果が期待できるものとなる。
【００３９】
叙述の如く、この発明の果樹覆い施設、およびそれに使用する被覆用シートは、その新規な構成によって所期の目的を遍く達成可能とするものであり、しかも製造も容易で、従前からの門型温室ハウスのように鋼管を組み合わせて設営する被覆施設に比較して、遥かに経済的なものとすることができる上、設置や修繕作業、および被覆用シートの装着や撤去作業等の安全性と作業効率を格段に高めることができることから、設営経費を大幅に削減することができ、農産物の市場開放の進展に伴い、品質の向上と価格競争とを強いられることとなった果樹、野菜、花卉類の栽培を行う園芸農家や、それに関連する農機具業界において高く評価され、広範に渡って利用、普及していくものになると予想される。
【図面の簡単な説明】
図面は、この発明の果樹覆い施設、およびそれに使用する被覆用シートの技術的思想を具現化した幾つかの実施例を示すものである。
【図１】    被覆用シートの構造を示す平面図である。
【図２】    ワイヤロープの掛け渡し構造を示す斜視図である。
【図３】    被覆用シートを装着した状態を示す斜視図である。
【図４】    果樹覆い施設の構造を示す斜視図である。
【図５】    排気用通風口の構造を示す斜視図である。
【図６】    予備支柱の要部形状を示す斜視図である。
【図７】    被覆用シートの構造を示す平面図である。
【図８】    果樹覆い施設の構造を示す斜視図である。
【図９】    被覆用シートの構造を示す平面図である。
【図１０】    果樹覆い施設の構造を示す斜視図である。
【符号の説明】
１      果樹覆い施設
２      支柱
２１    同  滑車金具
２２    同  予備支柱
２３    同  樋型支持部
３      ワイヤロープ
３１    同  ウインチ
４      被覆用シート
４１    同  ビニルシート本体
４２    同  張設帯
４３    同  襷状張設帯
４４    同  接着部
４５    同  排気用通風口
４６    同  雨樋溝
Ｗ    同  横幅寸法
Ｎ    同  横幅寸法（幅狭側）
Ｌ    同  桁行き方向長さ（ビニルシート）
Ｄ    同  桁行き方向の所定寸法
ｄ    同  所定角度
５      縁取り杆
【図１】
0003862064.tif 000002
【図２】
0003862064.tif 000003
【図３】
0003862064.tif 000004
【図４】
0003862064.tif 000005
【図５】
0003862064.tif 000006
【図６】
0003862064.tif 000007
【図７】
0003862064.tif 000008
【図８】
0003862064.tif 000009
【図９】
0003862064.tif 000010
【図１０】
0003862064.tif 000011